【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
所定のユーザに情報を提供する情報提供装置において、
前記ユーザに提供される提供情報を送信する、少なくとも１つの第１の他の情報処理装置と通信する第１の通信手段と、
前記所定のユーザが保有する少なくとも１つの第２の他の情報処理装置と通信する第２の通信手段と、
前記第２の通信手段により受信される前記ユーザの個人情報を蓄積する第１の蓄積手段と、
前記第１の蓄積手段により蓄積された前記個人情報を基に、複数の前記提供情報から、所定の提供情報を選択する第１の選択手段と、
前記第１の選択手段により選択された所定の前記提供情報のリストを生成する生成手段と、
前記生成手段により生成され、前記第２の通信手段により前記第２の他の情報処理装置のうちのいずれかに送信された前記リストを参照した前記ユーザによる操作入力を基に、前記第１の選択手段により選択された所定の前記提供情報から、前記ユーザが所望する提供情報を選択する第２の選択手段と
を備え、
前記第２の選択手段により選択された前記ユーザが所望する提供情報は、前記第２の通信手段により、前記第２の他の情報処理装置に送信される
ことを特徴とする情報提供装置。
【請求項２】
前記第２の選択手段は、前記ユーザが所望する提供情報を前記ユーザに提供するために、所定の変換処理が必要であった場合、前記ユーザが所望する提供情報を変換する
ことを特徴とする請求項１に記載の情報提供装置。
【請求項３】
前記第１の選択手段により選択された所定の前記提供情報を蓄積する第２の蓄積手段
を更に備えることを特徴とする請求項１に記載の情報提供装置。
【請求項４】
前記第２の他の情報処理装置へ前記提供情報を送信するために必要なアドレス情報を検出する検出手段を更に備え、
前記ユーザに対する提供情報が、前記第１の通信手段により受信された場合、前記第２の通信手段は、前記アドレス検出手段により検出された前記アドレス情報を基に、前記第２の他の情報処理装置へ前記提供情報を送信する
ことを特徴とする請求項１に記載の情報提供装置。
【請求項５】
前記第２の通信手段は、前記第２の選択手段が前記ユーザの所望する提供情報を選択するために参照した前記ユーザによる操作入力を示す信号を、前記第２の他の情報処理装置のうちの少なくともいずれか１つに送信する
ことを特徴とする請求項１に記載の情報提供装置。
【請求項６】
前記生成手段は、前記第１の選択手段により選択された複数の前記提供情報が、異なる前記第１の他の情報処理装置から送信されたものであっても、前記第１の選択手段により選択された複数の前記提供情報が全て記載された前記リストを１つ生成する
ことを特徴とする請求項１に記載の情報提供装置。
【請求項７】
前記提供情報の送信元が許可された送信元か否かを検出する検出手段を更に備え、
前記検出手段は、所定の人物または団体を示す人形を、それぞれ認識することが可能なパッドで構成され、前記ユーザが、前記パッドに、前記提供情報の送信元として許可する所定の人物または団体を示す人形を配置することにより、前記提供情報の送信元が許可された送信元であることを検出する
ことを特徴とする請求項１に記載の情報提供装置。
【請求項８】
所定のユーザに情報を提供する情報提供装置の情報提供方法において、
前記ユーザに提供される提供情報を送信する、少なくとも１つの第１の他の情報処理装置と通信し、前記提供情報または前記提供情報に関する第１の情報を取得する第１の取得ステップと、
前記所定のユーザが保有する少なくとも１つの第２の他の情報処理装置と通信し、前記ユーザの個人情報を取得する第２の取得ステップと、
前記第２の取得ステップの処理により取得された前記個人情報を蓄積する蓄積ステップと、
前記蓄積ステップの処理により蓄積された前記個人情報を基に、複数の前記提供情報から、所定の提供情報を選択する第１の選択ステップと、
前記第１の選択ステップの処理により選択された所定の前記提供情報のリストを生成する生成ステップと、
前記生成ステップの処理により生成された前記リストを出力する第１の出力ステップと、
前記第１の出力ステップの処理により前記第２の他の情報処理装置のうちのいずれかに送信された前記リストを参照した前記ユーザによる操作入力を取得する第３の取得ステップと、
前記第３の取得ステップの処理により取得された前記操作入力を基に、前記第１の選択ステップの処理により選択された所定の前記提供情報から、前記ユーザが所望する提供情報を選択して出力する第２の出力ステップと
を含むことを特徴とする情報提供方法。
【請求項９】
所定のユーザに情報を提供する処理をコンピュータに実行させるためのプログラムであって、
前記ユーザに提供される提供情報を送信する、少なくとも１つの第１の他の情報処理装置と通信し、前記提供情報または前記提供情報に関する第１の情報の取得を制御する第１の取得制御ステップと、
前記所定のユーザが保有する少なくとも１つの第２の他の情報処理装置と通信し、前記ユーザの個人情報の取得を制御する第２の取得制御ステップと、
前記第２の取得制御ステップの処理により取得が制御された前記個人情報の蓄積を制御する第１の蓄積制御ステップと、
前記第１の蓄積制御ステップの処理により蓄積が制御された前記個人情報を基に、複数の前記提供情報から、所定の提供情報を選択する第１の選択ステップと、
前記第１の選択ステップの処理により選択された所定の前記提供情報のリストを生成する生成ステップと、
前記生成ステップの処理により生成された前記リストの出力を制御する第１の出力制御ステップと、
前記第１の出力制御ステップの処理により前記第２の他の情報処理装置のうちのいずれかに送信された前記リストを参照した前記ユーザによる操作入力の取得を制御する第３の取得制御ステップと、
前記第３の取得制御ステップの処理により取得が制御された前記操作入力を基に、前記第１の選択ステップの処理により選択された所定の前記提供情報から、前記ユーザが所望する提供情報を選択して、出力を制御する第２の出力制御ステップと
を含むことを特徴とする処理をコンピュータに実行させるためのプログラム。
【請求項１０】
ユーザの個人情報を管理する情報処理装置において、
前記ユーザの個人情報を蓄積する蓄積手段と、
前記ユーザに提供される提供情報を処理する情報提供装置と、直接、または、他の情報処理装置とネットワークの少なくとも一方を介して通信する通信手段と、
前記情報提供装置の利用環境に関する情報を検出する検出手段と、
前記検出手段により検出された前記情報提供装置の利用環境に関する情報を基に、前記蓄積手段により蓄積された前記個人情報のうち、前記情報提供装置の利用環境に適した情報を選択する選択手段と
を備え、
前記通信手段は、前記選択手段により選択された前記個人情報を、前記情報提供装置に送信する
ことを特徴とする情報処理装置。
【請求項１１】
ユーザに提供される提供情報を映像と音声の少なくとも一方で出力する第１の他の情報処理装置を制御する情報処理装置において、
前記ユーザの操作入力を受ける操作入力手段と、
前記第１の他の情報処理装置、前記ユーザの個人情報を記憶する第２の他の情報処理装置、および、前記提供情報を前記第１の他の情報処理装置に供給する第３の他の情報処理装置と通信する通信手段と
を備え、
前記通信手段は、前記第２の他の情報処理装置から前記個人情報を受信して、前記第３の他の情報処理装置に出力するとともに、前記操作入力手段により入力された前記ユーザの操作入力を、前記第３の他の情報処理装置に送信する
ことを特徴とする情報処理装置。
【請求項１２】
ユーザに提供される提供情報と、前記提供情報以外の情報とを、映像と音声の少なくと
も一方で出力する情報処理装置において、
他の情報処理装置と通信する通信手段と、
前記提供情報以外の情報を映像と音声の少なくとも一方で出力する出力手段と、
前記他の情報処理装置から送信され、前記通信手段により受信された、前記提供情報のリストの表示を制御する表示制御手段と
を備え、
前記表示制御手段は、前記出力手段により出力されている前記提供情報以外の情報が、広告を含む情報であるとき、前記提供情報のリストの表示を制御する
ことを特徴とする情報処理装置。
【請求項１３】
所定のユーザに情報を提供する情報提供装置と、
ユーザの個人情報を管理する第１の情報処理装置と、
ユーザに提供される提供情報を映像と音声の少なくとも一方で出力する第２の情報処理装置と
を備える情報提供システムにおいて、
前記情報提供装置は、
前記ユーザに提供される前記提供情報を送信する、少なくとも１つの第３の情報処理装置と通信する第１の通信手段と、
前記第1の情報処理装置および前記第２の情報処理装置と通信する第２の通信手段と、
前記第２の通信手段により受信される前記ユーザの個人情報を蓄積する第１の蓄積手段と、
前記第１の蓄積手段により蓄積された前記個人情報を基に、複数の前記提供情報から、所定の提供情報を選択する第１の選択手段と、
前記第１の選択手段により選択された所定の前記提供情報のリストを生成する生成手段と、
前記生成手段により生成された前記リストを参照した前記ユーザによる操作入力を基に、前記第１の選択手段により選択された所定の前記提供情報から、前記ユーザが所望する提供情報を選択する第２の選択手段と
を備え、
前記第２の選択手段により選択された前記ユーザが所望する提供情報は、前記第２の通信手段により、前記第２の情報処理装置に送信され、
前記第１の情報処理装置は、
前記ユーザの個人情報を蓄積する第２の蓄積手段と、
前記情報提供装置および前記第２の情報処理装置と通信する第３の通信手段と
を備え、
前記第３の通信手段は、前記第２の蓄積手段により蓄積された前記個人情報を、前記情報提供装置に送信し、
第２の情報処理装置は、
前記情報提供装置および前記第１の情報処理装置と通信する第４の通信手段と、
前記情報提供装置から送信され、前記第４の通信手段により受信された、前記提供情報のリストまたは前記提供情報の表示を制御する表示制御手段と
を備えることを特徴とする情報提供システム。
【手続補正２】
【補正対象書類名】明細書
【補正対象項目名】発明の名称
【補正方法】変更
【補正の内容】
【発明の名称】情報提供装置および情報提供方法、情報処理装置、情報提供システム、並びに、プログラム
【手続補正３】
【補正対象書類名】明細書
【補正対象項目名】０００１
【補正方法】変更
【補正の内容】
【０００１】
本発明は、情報提供装置および情報提供方法、情報処理装置、情報提供システム、並びに、プログラムに関し、特に、ユーザの嗜好に合致した情報や、ユーザが必要とする情報を選択してユーザに提示することができる、情報提供装置および情報提供方法、情報処理装置、情報提供システム、並びに、プログラムに関する。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】変更
【補正の内容】
【００２４】
提供情報の送信元が許可された送信元か否かを検出する検出手段を更に備えさせるようにすることができ、検出手段は、所定の人物または団体を示す人形を、それぞれ認識することが可能なパッドで構成されるようにすることができ、検出手段には、ユーザが、パッドに、提供情報の送信元として許可する所定の人物または団体を示す人形を配置することにより、提供情報の送信元が許可された送信元であることを検出させるようにすることができる。
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３７
【補正方法】削除
【補正の内容】
【手続補正１８】
【補正対象書類名】明細書
【補正対象項目名】００３８
【補正方法】削除
【補正の内容】
【手続補正１９】
【補正対象書類名】明細書
【補正対象項目名】００３９
【補正方法】削除
【補正の内容】
【手続補正２０】
【補正対象書類名】明細書
【補正対象項目名】００４０
【補正方法】削除
【補正の内容】
【手続補正２１】
【補正対象書類名】明細書
【補正対象項目名】００４１
【補正方法】削除
【補正の内容】
【手続補正２２】
【補正対象書類名】明細書
【補正対象項目名】００４２
【補正方法】変更
【補正の内容】
【００４２】
本発明の第１の情報処理装置においては、ユーザに提供される提供情報を処理する情報提供装置への個人情報の送信要求と、情報提供装置の利用環境に関する情報とが取得され、情報提供装置の利用環境に関する情報を基に、蓄積手段に蓄積された個人情報のうち、情報提供装置の利用環境に適した情報が選択され、選択された個人情報が、情報提供装置へ送信される。
【手続補正２３】
【補正対象書類名】明細書
【補正対象項目名】００４４
【補正方法】削除
【補正の内容】
【手続補正２４】
【補正対象書類名】明細書
【補正対象項目名】００４５
【補正方法】削除
【補正の内容】
【手続補正２５】
【補正対象書類名】明細書
【補正対象項目名】００４６
【補正方法】削除
【補正の内容】
【手続補正２６】
【補正対象書類名】明細書
【補正対象項目名】００４７
【補正方法】削除
【補正の内容】
【手続補正２７】
【補正対象書類名】明細書
【補正対象項目名】００４８
【補正方法】変更
【補正の内容】
【００４８】
本発明の第２の情報処理装置においては、ユーザの個人情報を記憶する第２の他の情報処理装置からの個人情報が受信され、受信された個人情報が、提供情報を第１の他の情報処理装置に供給する第３の他の情報処理装置へ出力され、ユーザの操作入力を受け、ユーザの操作入力が第３の他の情報処理装置へ出力される。
【手続補正２８】
【補正対象書類名】明細書
【補正対象項目名】００５０
【補正方法】削除
【補正の内容】
【手続補正２９】
【補正対象書類名】明細書
【補正対象項目名】００５１
【補正方法】削除
【補正の内容】
【手続補正３０】
【補正対象書類名】明細書
【補正対象項目名】００５２
【補正方法】変更
【補正の内容】
【００５２】
本発明の第３の情報処理装置においては、他の情報処理装置から送信される提供情報のリストが取得され、出力されている提供情報以外の情報が、広告を含む情報であるとき、提供情報のリストが表示される。
【手続補正３１】
【補正対象書類名】明細書
【補正対象項目名】００５４
【補正方法】削除
【補正の内容】
【手続補正３２】
【補正対象書類名】明細書
【補正対象項目名】００５５
【補正方法】削除
【補正の内容】
【手続補正３３】
【補正対象書類名】明細書
【補正対象項目名】００５６
【補正方法】削除
【補正の内容】
【手続補正３４】
【補正対象書類名】明細書
【補正対象項目名】００６８
【補正方法】削除
【補正の内容】
【手続補正３５】
【補正対象書類名】明細書
【補正対象項目名】００６９
【補正方法】変更
【補正の内容】
【００６９】
請求項４に記載の情報提供装置は、第２の他の情報処理装置へ提供情報を送信するために必要なアドレス情報を検出する検出手段（例えば、図６６のアドレス検出部５２１）を更に備え、ユーザに対する提供情報が、第１の通信手段により受信された場合、第２の通信手段は、アドレス検出手段により検出されたアドレス情報を基に、第２の他の情報処理装置へ提供情報を送信することを特徴とする。
【手続補正３６】
【補正対象書類名】明細書
【補正対象項目名】００７０
【補正方法】変更
【補正の内容】
【００７０】
請求項７に記載の情報提供装置は、提供情報の送信元が許可された送信元か否かを検出する検出手段（例えば、図６６のデータ送信元選択部５３１）を更に備え、検出手段が、所定の人物または団体を示す人形（例えば、図６７のＡ子人形５４１-１、Ｂ男人形５４１−２、Ｃ夫人形４５１−３）を、それぞれ認識することが可能なパッド（例えば、図６７のコミュニケーションパッド５３１）で構成され、ユーザが、パッドに、提供情報の送信元として許可する所定の人物または団体を示す人形を配置することにより、提供情報の送信元が許可された送信元であることを検出することを特徴とする。
【手続補正３７】
【補正対象書類名】明細書
【補正対象項目名】００７１
【補正方法】削除
【補正の内容】
【手続補正３８】
【補正対象書類名】明細書
【補正対象項目名】００７２
【補正方法】削除
【補正の内容】
【手続補正３９】
【補正対象書類名】明細書
【補正対象項目名】００７３
【補正方法】削除
【補正の内容】
【手続補正４０】
【補正対象書類名】明細書
【補正対象項目名】００７４
【補正方法】削除
【補正の内容】
【手続補正４１】
【補正対象書類名】明細書
【補正対象項目名】００７５
【補正方法】削除
【補正の内容】
【手続補正４２】
【補正対象書類名】明細書
【補正対象項目名】００７６
【補正方法】変更
【補正の内容】
【００７６】
請求項８に記載の情報提供方法は、ユーザに提供される提供情報（例えば、コンテンツ、電子メールなど、ユーザに提供するべき情報）を送信する、少なくとも１つの第１の他の情報処理装置（例えば、図１のコンテンツサーバ３１、パーソナルコンピュータ３２,３３、携帯型電話機３４、電話機３５、または、放送局３６）と通信し、提供情報または提供情報に関する第１の情報を取得する第１の取得ステップ（例えば、図１３のステップＳ４２の処理）と、所定のユーザが保有する少なくとも１つの第２の他の情報処理装置（例えば、図１のPK１２,リモートコマンダ１３、情報提供装置１４）と通信し、ユーザの個人情報を取得する第２の取得ステップ（例えば、図１３のステップＳ４４の処理）と、第２の取得ステップの処理により取得された個人情報を蓄積する蓄積ステップ（例えば、図１３のステップＳ４５または図１４のステップＳ５６の処理）と、蓄積ステップの処理により蓄積された個人情報を基に、複数の提供情報から、所定の提供情報を選択する第１の選択ステップ（例えば、図１３のステップＳ４５の処理）と、第１の選択ステップの処理により選択された所定の提供情報のリストを生成する生成ステップ（例えば、図１３のステップＳ４６の処理）と、生成ステップの処理により生成されたリストを出力する第１の出力ステップ（例えば、図１３のステップＳ４７の処理）と、第１の出力ステップの処理により第２の他の情報処理装置のうちのいずれかに送信されたリストを参照したユーザによる操作入力を取得する第３の取得ステップ（例えば、図１３のステップＳ４８の処理）と、第３の取得ステップの処理により取得された操作入力を基に、第１の選択ステップの処理により選択された所定の提供情報から、ユーザが所望する提供情報を選択して出力する第２の出力ステップ（例えば、図１３のステップＳ４９およびステップＳ５０の処理）とを含むことを特徴とする。
【手続補正４３】
【補正対象書類名】明細書
【補正対象項目名】００７７
【補正方法】変更
【補正の内容】
【００７７】
また、請求項９に記載のプログラムにおいても、各ステップが対応する実施の形態（但し一例）は、請求項８に記載の情報処理方法と同様である。
【手続補正４４】
【補正対象書類名】明細書
【補正対象項目名】００７８
【補正方法】変更
【補正の内容】
【００７８】
請求項１０に記載の情報処理装置（例えば、図３６のPK３０１）は、ユーザの個人情報を蓄積する蓄積手段（例えば、図３７のPMD記憶部９３）と、ユーザに提供される提供情報を処理する情報提供装置（例えば、図３６の情報提供装置１１）と、直接、または、他の情報処理装置とネットワークの少なくとも一方を介して通信する通信手段（例えば、図３７の情報取得部９１、情報出力部９９）と、情報提供装置の利用環境に関する情報（例えば、利用される情報視聴装置３０２の種類など）を検出する検出手段（例えば、図３７の環境情報取得部３１１）と、検出手段により検出された情報提供装置の利用環境に関する情報を基に、蓄積手段により蓄積された個人情報のうち、情報提供装置の利用環境に適した情報を選択する選択手段（例えば、図３７のPMD取得部９６）とを備え、通信手段は、選択手段により選択された個人情報を、情報提供装置に送信することを特徴とする。
【手続補正４５】
【補正対象書類名】明細書
【補正対象項目名】００７９
【補正方法】削除
【補正の内容】
【手続補正４６】
【補正対象書類名】明細書
【補正対象項目名】００８０
【補正方法】削除
【補正の内容】
【手続補正４７】
【補正対象書類名】明細書
【補正対象項目名】００８１
【補正方法】削除
【補正の内容】
【手続補正４８】
【補正対象書類名】明細書
【補正対象項目名】００８２
【補正方法】削除
【補正の内容】
【手続補正４９】
【補正対象書類名】明細書
【補正対象項目名】００８３
【補正方法】変更
【補正の内容】
【００８３】
請求項１１に記載の情報処理装置（例えば、図２４のリモートコマンダ１３）は、ユーザの操作入力を受ける操作入力手段（例えば、図７の操作入力部１０４）と、第１の他の情報処理装置（例えば、図1の情報視聴装置１４）、ユーザの個人情報を記憶する第２の他の情報処理装置（例えば、図２４のPK１２）、および、提供情報を第１の他の情報処理装置に供給する第３の他の情報処理装置（例えば、図２４の情報提供装置１１）と通信する通信手段（例えば、図７の情報取得部１０１、情報出力部１０６）とを備え、通信手段は、第２の他の情報処理装置から個人情報を受信して、第３の他の情報処理装置に出力するとともに、操作入力手段により入力されたユーザの操作入力を、第３の他の情報処理装置に送信することを特徴とする。
【手続補正５０】
【補正対象書類名】明細書
【補正対象項目名】００８４
【補正方法】削除
【補正の内容】
【手続補正５１】
【補正対象書類名】明細書
【補正対象項目名】００８５
【補正方法】削除
【補正の内容】
【手続補正５２】
【補正対象書類名】明細書
【補正対象項目名】００８６
【補正方法】削除
【補正の内容】
【手続補正５３】
【補正対象書類名】明細書
【補正対象項目名】００８７
【補正方法】削除
【補正の内容】
【手続補正５４】
【補正対象書類名】明細書
【補正対象項目名】００８８
【補正方法】変更
【補正の内容】
【００８８】
請求項１２に記載の情報処理装置（例えば、図１の情報視聴装置１４）は、他の情報処理装置と通信する通信手段（例えば、図９の情報取得部１５１、情報出力部１５７）と、提供情報以外の情報（例えば、テレビジョン放送）を映像と音声の少なくとも一方で出力する出力手段（例えば、図８のCRT１３０、スピーカ１３２）と、他の情報処理装置から送信され、通信手段により受信された、提供情報のリストの表示を制御する表示制御手段（例えば、図９の表示制御部１５４）とを備え、表示制御手段は、出力手段により出力されている提供情報以外の情報が、広告を含む情報であるとき、提供情報のリストの表示を制御することを特徴とする。
【手続補正５５】
【補正対象書類名】明細書
【補正対象項目名】００８９
【補正方法】削除
【補正の内容】
【手続補正５６】
【補正対象書類名】明細書
【補正対象項目名】００９０
【補正方法】削除
【補正の内容】
【手続補正５７】
【補正対象書類名】明細書
【補正対象項目名】００９１
【補正方法】変更
【補正の内容】
【００９１】
請求項１３に記載の情報提供システムは、所定のユーザに情報を提供する情報提供装置（例えば、図１の情報提供装置１１）と、ユーザの個人情報を管理する第１の情報処理装置（例えば、図１のPK１２）と、ユーザに提供される提供情報を映像と音声の少なくとも一方で出力する第２の情報処理装置（例えば、図１の情報視聴装置１４）とを備え、情報提供装置は、ユーザに提供される提供情報（例えば、コンテンツ、電子メールなど、ユーザに提供するべき情報）を送信する、少なくとも１つの第３の情報処理装置（例えば、図１のコンテンツサーバ３１、パーソナルコンピュータ３２,３３、携帯型電話機３４、電話機３５、または、放送局３６）と通信する第１の通信手段（例えば、図２の情報取得部５１、および情報出力部５２）と、第1の情報処理装置および第２の情報処理装置と通信する第２の通信手段（例えば、図２の情報出力部５７、情報取得部５８）と、第２の通信手段により受信されるユーザの個人情報を蓄積する第１の蓄積手段（例えば、図２のPMD記憶部５４）と、第１の蓄積手段により蓄積された個人情報を基に、複数の提供情報から、所定の提供情報を選択する第１の選択手段（例えば、図２の情報フィルタリング・キャッシング部５３）と、第１の選択手段により選択された所定の提供情報のリストを生成する生成手段（例えば、図２の情報リスト生成部５６）と、生成手段により生成されたリストを参照したユーザによる操作入力を基に、第１の選択手段により選択された所定の提供情報から、ユーザが所望する提供情報を選択する第２の選択手段（例えば、図２の復号部６０）とを備え、第２の選択手段により選択されたユーザが所望する提供情報は、第２の通信手段により、第２の情報処理装置に送信され、第１の情報処理装置は、ユーザの個人情報を蓄積する第２の蓄積手段（例えば、図６のPMD記憶部９３）と、情報提供装置および第２の情報処理装置と通信する第３の通信手段（例えば、図６の情報取得部９１、情報出力部９９）とを備え、第３の通信手段は、第２の蓄積手段により蓄積された個人情報を、情報提供装置に送信し、第２の情報処理装置は、情報提供装置および第１の情報処理装置と通信する第４の通信手段（例えば、図９の情報取得部１５１、情報出力部１５７）と、情報提供装置から送信され、第４の通信手段により受信された、提供情報のリストまたは提供情報の表示を制御する表示制御手段（例えば、図９の表示制御部１５４）とを備えることを特徴とする。
【手続補正５８】
【補正対象書類名】明細書
【補正対象項目名】００９２
【補正方法】削除
【補正の内容】
【手続補正５９】
【補正対象書類名】明細書
【補正対象項目名】００９３
【補正方法】削除
【補正の内容】